Podtech/llm-jp-corpus-v4-ja_patent huggingface dataset:
(57)【要約】      （修正有）【課題】従来はカブの種まきは、小さい種を手などでまいていたが、面倒であり均等にまくことができず、後のすぐりにも手間がかかり非能率的で不便であった。それを一動作で簡便に種まきできるようにする。【解決手段】回転ローラー１の左側に種の容器２を付着し、右側を本体３と直結し本体３に、取手４、種まき溝作り５、自在の土かぶせ６、補助枠７を装備したカブの種まき器である。種まきが簡便に、能率的にできるようにした。【選択図】図３
0003137847.tif 000002
【実用新案登録請求の範囲】
【請求項１】
回転ローラー１の左側に種の容器２を付着し、右側を本体３と直結し、本体３に取手４、種まき溝作り５、自在の土かぶせ６、補助枠７を装備したカブの種まき器。
【考案の詳細な説明】
【考案の詳細な説明】
【考案が解決しようとする課題】
【０００１】  従来はカブの種まきは、小さい種を手などでまいていたが、面倒であり、均等にまくことができず、後のすぐりにも手間がかかり、非能率的で不便であった。
【課題を解決するための手段】
【０００２】  上記目的を達成するために、回転ローラー１の左側に種の容器２を付着し、右側を本体３と直結し本体３に取手４、種まき溝作り５、自在の土かぶせ６、補助枠７を装備したカブの種まき器。取手４を手前に引くと、回転ローラー１が回転すると同時に種の容器２も回転して、等間隔の穴より種が、種まき溝作り５でできた種溝に落ち、その種に自在の土かぶせ６により土をかぶせて、一動作で簡便に種まきができるようにした。
【考案の効果】
【０００３】このカブの種まき器を使用すれば、これ迄より種まき作業が簡便で能率的にできる。
【図面の簡単な説明】
【図１】カブの種まき器の側面図である。
【図２】カブの種まき器の図１の側面図の下部よりの平面図であり、種の容器２の蓋を開けて種を入れる詳細図である。
【図３】カブの種まき器の使用立体側面図である。
【符号の説明】
１  回転ローラー
２  種の容器
３  本体
４  取手
５  種まき溝作り
６  自在の土かぶせ
７  補助枠
【図１】
0003137847.tif 000003
【図２】
0003137847.tif 000004
【図３】
0003137847.tif 000005
(57)【要約】      （修正有）【課題】正六角形のピースの辺の色を合わせて図形を自由につくることができ、自ら創作することができる色合わせパズルを提供する。【解決手段】配列の異なる六色を辺の色とする３７個の正六角形ピースで構成し、３７個の辺の色を全てつなぎ合わせて正六角形にした形をパーフェクトとする。【選択図】図１
0003137844.tif 000002
【実用新案登録請求の範囲】
【請求項１】
配列の異なる六色を辺の色とする３７個の正六角形ピースで構成する六角パズル。
【請求項２】
３７個の辺の色を全てつなぎ合わせて正六角形にした形をパーフェクトとする請求項１記載の六角パズル。
【請求項３】
全ピースに層識別マークを付した請求項１記載の六角パズル。
【請求項４】
ピースの上面と底面が正六角形をした台形の厚みをもつ請求項１記載の六角パズル。
【請求項５】
ボードの大きさを、パーフェクト形のピース３７個が納まる大きさとし、各ピースの中心位置にピースの底部が納まる大きさの浅い六角形のくぼみを持つ請求項１記載の六角パズル用ボード。
【考案の詳細な説明】
【考案の詳細な説明】
【０００１】ピースパズルである。
【技術分野】
【０００２】ゲーム具に属する。
【背景技術】
【０００３】従来よりピースパズルはあった。
【考案が解決しようとする課題】
【０００４】従来のパズルは自分で創作できるというものが少なかった。
【課題を解決するための手段】
【０００５】積木のように、自分で自由に創作できるようにしたピースパズルとする。
【実施例】
【０００６】本考案は、３７個の正六角形のピース（１）の辺の色をつなぎ合わせて図形を創作するパズルである。【０００７】辺の色（４）を、赤（ｒ）・緑（ｇ）・青（ｂ）・黄（ｙ）・空色（ａ）桃色（ｐ）の六色とする。【０００８】六色の配列を７４通り変えて３７個のピース（１）の表裏の辺の色とする。【０００９】色の配列を赤（ｒ）を起点に右回りに順記すれば次のとおり。
0003137844.tif 000003
0003137844.tif 000004
【００１０】ピース（１）３７個の辺の色（．４）を全てつなぎ正六角形にした形がパーフェクト形である。（請求項２記載）【００１１】パーフェクト形のときの全ピース（１）の位置を示す層識別マーク（５）をピースの上面中心部に付す。（請求項３記載）【００１２】中心位置のピース（１）を赤マーク（００）、赤マーク（００）に接するピース６個を一層ピースといい空色マーク（０１）、一層ピース（０１）を囲む１２個を二層ピースといい桃色マーク（０２）、二層ピース（０２）を囲む１８個を三層ピースといい緑マーク（０３）、とする。【００１３】ピース（１）の上面と底面が外周より小さい六角形の六角錐台形でピース（１）に厚味をもたせる。（請求項４記載）【００１４】ボード（２）の大きさを、パーフェクト形のパズルが並べられる大きさとする。（請求項５記載）【００１５】ボード（２）面に、パーフェクト形が並ぶピース（１）の中心位置に、全ピース（１）の底面の六角形がはまる浅いくぼみ（３）をもつ。（請求項５記載）
【特長】
【００１６】ピース（１）３７個で自由に自分の図形が創作できる。
【００１７】創作図形を解くとき、使用したピースを探すで層識別マーク（５）が有効である。
【００１８】六角錐台形の厚味をもつピースの縁を押さえれば反対側が持ち上がるためつまみ易い。
【００１９】六角錐台形の底面をボードのくぼみ（３）にはめ込むことによって向きを正確に変えることができる。
【考案の効果】
【００２０】根気、連想能力、創作意欲が高められ、脳を活性化させるのに有効である。
【図面の簡単な説明】
【００２１】
【図１】六角パズル表面の平面図
【図２】六角パズル裏面の平面図
【図３】六角パズルのボードにピース２個をのせた平面図
【図４】ピース２個の平面図と、ボードａ・ｂ点を結ぶ線の断面図
【図５】創作図形の一例：王冠の問題平面図
【図６】創作図形の一例：王冠の答え平面図
【符号の説明】
【００２２】１  ピース
２  ボード
３  くぼみ
４  辺の色
５  層識別マーク
【図１】
0003137844.tif 000005
【図２】
0003137844.tif 000006
【図３】
0003137844.tif 000007
【図４】
0003137844.tif 000008
【図５】
0003137844.tif 000009
【図６】
0003137844.tif 000010
(57)【要約】      （修正有）【課題】携帯用包帯巻き器等の片手で保持する本体部分を着脱自在に載置、保持でき、かつ作業机等の端部に安定に固定して包帯巻き作業を効率よく、正確に、かつ誰でも簡単に包帯の巻き取り作業を行うことができる保持装置を提供する。【解決手段】携帯用包帯巻き器保持具本体を着脱自在に装着する本体保持部と、本体保持部を作業机等に着脱自在に固定する取付け部とを一体に構成し、さらに本体保持部は携帯用包帯巻き器本体を開閉可能な押さえ蓋と蓋受けで載置し、押さえ蓋と蓋受け端部に対応して設けたベルトとバックルからなる取付け、取り外し容易な保持調整部で締め付けた保持装置である。【選択図】図１
0003137867.tif 000002
【実用新案登録請求の範囲】
【請求項１】
包帯巻き器の本体を着脱自在に保持する本体保持部と、該本体保持部を作業机等に着脱可能に装着する取付け部とを上下に一体に固定し、また上記本体保持部は包帯巻き器の筒状の手で掴む部分を割型筒状の押さえ蓋と蓋受け台で開閉可能に支持し、該押さえ蓋と蓋受け台の相応する端部にベルトとバックルから成る本体保持部締結用の調整部を設けたことを特徴とする保持装置。
【請求項２】
割型筒状からなる押さえ蓋と蓋受け台の板材の内面にポリウレタン樹脂発泡体、ゴム等の緩衝材を一体に固定したことを特徴とする請求項１記載の保持装置。
【請求項３】
コ字状の取付け足のコ字空間に該取付け足の下面のほぼ中央にネジ棒を螺設し、該ネジ棒の先端部に受け板を装着し、該受け板と取付け足の上面間に作業机等を挟み込み締結する締結部を設けたことを特徴とする請求項１、または２記載の保持装置。
【考案の詳細な説明】
【技術分野】
【０００１】      本考案は、例えば包帯を巻き取る本体と巻き取りのため回転するハンドルを有する携帯用包帯巻き器等を包帯巻き時に収納、保持すると共に、机等のごとく重量のある安定した作業机等に固定して使用する保持装置に関するものである。
【背景技術】
【０００２】      従来、携帯用包帯巻き器において、包帯を巻き込む際に片方の手で本体を保持し、もう片方の手でハンドルをまわして包帯を巻くことが行われている。
【考案の開示】
【考案が解決しようとする課題】
【０００３】    しかしながら、片方の手で携帯用包帯巻き器本体を保持して包帯を巻いた時は、本体保持が手の小さき人、又は腕の力の弱い人に取ってかなりの握力が必要であり、本体を保持し難く、包帯巻き作業を中断したり、本体を落下したりする不具合が多々あった。【０００４】  さらに、包帯を巻いている途中では、保持している本体の変位で包帯がよじれ、包帯巻き作業が中断し、本体、又は包帯のよじれを修正する必要があり、作業能率が悪く、かつ労働的に負担が増す不利があった。
そこで本考案は、携帯用包帯巻き器を確実に保持し、かつ包帯巻き作業が容易にできる机等のように安定した作業机等に固定した状態で包帯巻きを確実にして前述の欠点を解決した保持装置を提供するものである。
【課題を解決するための手段】
【０００５】    本考案は、このような欠点を除去するため携帯用包帯巻き器本体を着脱自在に保持し、かつ包帯のよじれ、若しくは捻れもなくガイドし包帯巻きを、確実に能率良く包帯を巻き取る本体保持部と、これを作業机等に固定する取付け部とを一体に構成した保持装置である。
【考案の効果】
【０００６】      上述したように、手で携帯用包帯巻き器を保持せず、これを作業机等に固定した装置で保持して包帯を巻き取るため作業能率が大幅に改善できる。また、巻き取りの際は、包帯の巻き取り最中に片手が自由であり、包帯の捩れ、捻れなどの不遇合いも修正しながら確実に包帯巻き作業を行える利点がある。
【考案を実施するための最良の形態】
【０００７】      以下に、図面を用いて本考案に係る保持装置の一実施例を詳細に説明する。即ち図１は本考案に係る保持装置を示す概略説明図であり、１は保持装置で本体保持部２と取付け部１１とを上下に配置し一体に構成し、これを作業机等Ａに固定して使用する構成としたものである。【０００８】    さらに説明すると、本体保持部２は図示しないが携帯用包帯巻き器、その他のこれに類する器具を保持しながら包帯を巻き取るような包帯巻き器を着脱自在に保持するものであり、開閉可能な押さえ蓋３と蓋受け台４とから円筒状に構成し、これら両部材は保形性のため合成樹脂製、若しくは金属製の板体５を半円形状に形成すると共に、その内面にゴム、または合成樹脂発泡体製のような緩衝材６を一体に設け、包帯巻き器本体Ｂを傷付けずにしっかりと保持するのに役立つものある。【０００９】      また、押さえ蓋３と蓋受け台４の相対する一方の端面は、押さえ蓋３を開閉する機能、例えば丁番７、あるいは図示しないが板体５の一部が同様の機能があるもので押さえ蓋３を開閉する。【００１０】    ８は保持調整部であり、図１，図２に示すように本体保持部２の両端部の板体５にベルト９の一端９ａと、これを係止するバックル１０を蓋受け部４の板体５にネジ等を介して固定する。さらに説明すると、保持調整部８は図３から図５に示すようにベルト９には爪９ｂが一定ピッチで設けてあり、バックル１０は主に内バネ１０ａと化粧板１０ｂとからなり、ベルト９を所定位置で係止し、包帯巻き器等Ａを本体保持部２から離脱無く保持するのに役立つものである。【００１１】    取付け部１１は本体保持部２を作業机等に固定するためのものであり、連結部１２と締結具１６と机等の損傷を防ぐ意味で設けたクッション材１７とから構成し、連結部１２は垂直片１３と取付け足１４と留め具１５を有し、垂直片１３は蓋受け部４の外周面４ａに一体に固定して取付け部１１と本体保持部２の一体化を図るものである。【００１２】      取付け足１４はコ字状の断面であり、作業机等Ａの固定部位に保持装置１を締結具１６のネジの締め付け機能で固定するためのものであり、上下片１４ａ、１４ｂの間隔は作業机等Ａの部材厚さに対応できるサイズである。締結具１６は受け台１６ａとネジ棒１６ｂから構成し、ネジ棒１６ｂを下片１４ｂのほぼ中央に螺合して受け台１６ａを押し上げ机等を上片１４ａとで挟み込み保持装置を固定する。【００１３】    次ぎに、本考案にかかる保持装置の使用法を簡単に説明すると、図２に示すように作業机Ａに固定された保持装置１の本体保持部２の押さえ蓋３を開き、蓋受け部４に一点鎖線で示すような包帯巻き器Ｂの本体部を載置する。次ぎに押さえ蓋３を図１に示すように締め、さらにベルト９とバックル１０の組み合わせ適宜圧力で押さえ込み、包帯を巻き込み、包帯巻きが完了したら保持調整部８の係止を解除して包帯巻き器Ｂを取り出す。この作業を繰り返しすれば巻き込むべき包帯の巻きこみが完了する。
【図面の簡単な説明】
【００１４】
【００１５】
【図１】本考案に係る保持装置の一実施例を示す概略説明斜視図である。
【図２】本考案に係る保持装置の使用法を説明する斜視図である。
【図３】本考案の要部の一つである調整部を示す説明図である、
【符号の説明】
【０００１６】１  保持装置
２  本体保持部
３  押さえ蓋
４  蓋受け部
６  緩衝材
８  保持調整部
９  ベルト
１０  バックル
１１  取付け部
１６  締結具
【図１】
0003137867.tif 000003
【図２】
0003137867.tif 000004
【図３】
0003137867.tif 000005
(57)【要約】      （修正有）【課題】指袋部分がある程度固定されるために履きやすくなり、また、指の付け根部分を常に刺激する効果も得られる五本指靴下を提供する。【解決手段】五本指靴下の足裏側の、指の付け根の線に沿って、弾力のある樹脂材を貼り付けた構造の靴下とする。【選択図】図１
0003137865.tif 000002
【実用新案登録請求の範囲】
【請求項１】
五本指靴下の足裏側、指の付け根の線に治って弾力のある樹脂材を線状に貼り付けた構造の靴下。
【考案の詳細な説明】
【技術分野】
【０００１】  本考案は、五本指靴下に関する。
【背景技術】
【０００２】  従来の五本指靴下は、通常の靴下と同じく布製であり、全体が柔らか構造であった。
【考案の開示】
【考案が解決しようとする課題】
【０００３】  これでは、履くときに指がうまく指袋の部分に入っていかないことが多く履きにくいという難点があった。また、履きなれると柔らかいために刺激を感じにくくなるという難点があった。
【課題を解決するための手段】
【０００４】  そこで、五本指靴下の足裏側の、指の付け根の線に沿って、弾力のある樹脂材を貼り付けた構造の靴下を考案した。
【考案の効果】
【０００５】  本考案の五本指靴下では、指先部分がある程度固定されるために、履きやすいという効果が得られる。また、樹脂材が常に足指の付け根部分を刺激するので、五本指靴下特有の爽快感が持続する。
【考案を実施するための最良の形態】
【０００６】  図１のように、指の付け根の線に沿って、樹脂材を貼り付けるので、指先部分をある程度固定することになるため、五本指靴下を履きやすくする効果が得られる。また、これを着用したときには、図２のような形態になるので、常に足指の付け根部分を刺激することができる。
【産業上の利用可能性】
【０００７】  本考案に係る五本指靴下は、工業的に量産することが可能であるため、産業上の利用可能性を有する。
【図面の簡単な説明】
【０００８】
【図１】  本考案に係る五本指靴下の、足裏側からの見取り図である。
【図２】  本考案に係る五本指靴下を着用したときの、正面からの見取り図である。
【符号の説明】
【０００９】  １      指袋部分
２      樹脂材
【図１】
0003137865.tif 000003
【図２】
0003137865.tif 000004
(57)【要約】【課題】  室内の温度が低くて手が冷える時、手袋としても使用できる着脱可能なポケットを有する室内着を提供する。【解決手段】  ガウン１の前面中央部付近に、着脱可能なポケット２を取り付ける。ポケット２は、ガウン１のボタンに嵌るように取り付けられ、容易に着脱できるようになっている。さらに、ポケット２は非対称な二股形状となっており、手の形にフィットするようになっている。【選択図】図１
0003137864.tif 000002
【実用新案登録請求の範囲】
【請求項１】
着脱可能なポケットを取り付けたガウン又は寝衣。
【請求項２】
前記着脱可能なポケットは２つ取り付けられている、請求項１記載のガウン又は寝衣。
【請求項３】
前記着脱可能なポケットは非対称な二股形状となっている、請求項１又は２記載のガウン又は寝衣。
【請求項４】
前記寝衣はパジャマ又はネグリジェである、請求項１から３のいずれかに記載の寝衣。
【考案の詳細な説明】
【技術分野】
【０００１】  本考案は、手袋としても使用できる着脱可能なポケットが取り付けられた室内着に関する。
【背景技術】
【０００２】  室内の温度が低いときは、室内でも手袋をすることがある。このとき、容易に着脱可能な手袋が取り付けられた、構成がシンプルな室内服があると便利である。。【０００３】
【特許文献１】実用新案登録第３１０９３３４号
【特許文献２】実用新案登録第３０７５４４４号
【考案の開示】
【考案が解決しようとする課題】
【０００４】  ポケットの中に手を入れていれば、若干手が温まるが、ポケットの中に手を入れていなければならず、不便である。特許文献１には、着脱可能なポケットを取り付けた被服が開示されているが、手袋としての機能は有していない。【０００５】  特許文献２には、着脱可能な手袋を取り付けたベストが開示されているが、ポケットとしての機能は有していない。このため、小物を被服に入れておこうとすれば、そのベストにポケットを取り付ける必要がある。また、この考案では、取りはずした手袋はポケットにしまわなければならない。【０００６】  本考案は、上記の課題に鑑み、手袋としても使用できる、容易に着脱可能なポケットを取り付けた室内着、とりわけ、ガウン又は寝衣を提供するものである。
【課題を解決するための手段】
【０００７】  本考案は、寝衣又はガウンに着脱可能な２つのポケットを取り付け、そのポケットを非対称な二股状とすることにより手袋としても使用可能として、上記の課題を解決している。
【考案の効果】
【０００８】  着脱可能なポケットを手袋としても使用できるので、通常のポケットとして使用できるだけでなく、室内の温度が低いときには手袋として使用し、手が冷えることを防ぐことができる。また、ポケットと着脱可能な手袋を別々に取り付ける必要がないので、ガウン又は寝衣の構成をシンプルにできる。さらに、生地が節約でき縫製工程が短縮できる。
【考案を実施するための最良の形態】
【０００９】  以下、図１乃至図４に従って、実施の形態を説明する。【００１０】  図１は、起毛素材からできた比較的厚手の生地のガウン（ロングローブ）１を正面から見た図であり、ポケット２がガウン１の正面部の真ん中付近に２つ取り付けられている。取り付け位置はこれに限られるものではない。ガウン１の正面部の上部でも下部でもよく、側部に取り付けてもよい。生地素材が起毛素材に限定されないのはもちろんである。【００１１】  図２は、ガウン１と同じ素材でできたポケット２の拡大図である。ポケット２に形成されたスリット４が、ガウン１に縫い付けられたボタン３に嵌ることにより、ガウン１に取り付けられる。スリット４の縦方向（図２中、上下方向）の長さは、ボタン３の直径より短く、ガウン１から外れないようになっている（図３参照）。なお、この図において、５は、ボタン３をガウン１に縫いつけている糸である。一方、スリット４の横方向（図２中、左右方向）の長さは、ボタン３の直径より若干長くされており、容易に着脱できるようになっている（図４参照）。【００１２】  なお、本実施の形態では、ガウン１に固定して取り付けたボタン３に、スリット４を形成した手袋２が着脱可能に取り付けられている例を示したが、本考案の実施形態は、これに限られるものではない。ガウン１とポケット２の双方にボタンを取り付けて、双方のボタン同士が嵌合するようにしてもよい。また、ガウン１とポケット２の双方にマジックテープを取り付け、着脱可能としてもよい。【００１３】  ポケット２は、図２に示されているように、非対称な二股形状となっている。すなわち、二股部のうち、小さいほうには親指が入り、大きいほうにはその他の指が入るようになっている。これによって、ポケット２は手袋としても使用することができる。【００１４】  ポケット２の形状は、上記の形状に限られるものではなく、手袋として使用可能な形状であれば、何でもよい。すなわち、夫々の指が入るように５つに分岐した形状でもよく、人間の手が自然に収まる形状であれば、その他の形状でもよい。【００１５】  上記実施の形態では、ガウンについて説明したが、パジャマ、ネグリジェ等の寝衣についても本考案は実施可能である。例えば、不図示のパジャマの上衣の正面部に着脱可能なポケットを取り付けてもよい。また、ネグリジェであってもよい。
【図面の簡単な説明】
【００１６】
【図１】本考案の着脱可能なポケットを取り付けたガウンの一実施例を示す正面図である。
【図２】本考案のガウンのポケット付近の拡大図である。
【図３】Ｘ−Ｘ線で切った断面図である。
【図４】Ｙ−Ｙ線で切った断面図である。
【符号の説明】
【００１７】１  ガウン
２  ポケット
３  ボタン
４  スリット
５  糸
【図１】
0003137864.tif 000003
【図２】
0003137864.tif 000004
【図３】
0003137864.tif 000005
【図４】
0003137864.tif 000006
(57)【要約】      （修正有）【課題】外出先で服用する飲み薬の携帯用分包器。通常持ち歩く物を利用して飲み薬の散逸を防ぎ、服用時刻を知るものである。【解決手段】財布等に入れるため容器は扁平にし、外出時で使う時、蓋は底部に被せるようにする。朝、昼、夕、夜用に、赤、黄、空、紺と色分けしておく。【選択図】図２
0003137860.tif 000002
【実用新案登録請求の範囲】
【請求項１】
小銭入れや財布等に入る扁平な容器の携帯用飲み薬分包器。
【考案の詳細な説明】
【技術分野】
【０００１】本考案は、外出時に所用の飲み薬のみ分包し、これを小銭入れ、又は財布等に入れて持ち運ぶものである。
【背景技術】
【０００２】外出時に薬包紙を探したり、そのまま持ち運ばなくてもよい。
【考案の開示】
【考案が解決しようとする課題】
【０００３】通常持ち歩く物を利用して飲み薬の散逸を防ぎ、服用時刻を知るものである。
【問題を解決するための手段】
【０００４】財布等に入れるため容器は扁平にし、外出先で使う時、蓋は底部に被せるようにする。
朝、昼、夕、夜用に、赤、黄、空、紺と色分けしておく。
【考案の効果】
【０００５】二種類以上を外出先で服用する時、薬を散逸したりすることなく、容器の色分けで服用時を確実にする。
【考案を実施するための最良の形態】
【０００６】飲み薬は自宅で分包してあるので、出先では仕事の合間に容易に服用でき服用時刻も所要の分包器の色分けから服用時刻を知ることができる。  蓋は容器の底部に被せる。
【実施例】
【０００７】外出時に服用する飲み薬を、服用する時刻の色の分包器に入れ蓋をして、小銭入れ又は財布に収納して持ち運ぶ。
【図面の簡単な説明】
【０００８】
【図１】本考案の携帯用飲み薬分包器の分包時の図である。
【図２】本考案の携帯用飲み薬分包器の服用時の図である。
【符号の説明】
【０００９】１  本分包器の蓋である。
２  本分包器の容器である。
３  所要の飲み薬である。
【図１】
0003137860.tif 000003
【図２】
0003137860.tif 000004
(57)【要約】      （修正有）【課題】光多重用分波ユニットの筐体内の光多重用分波器の固定が出来ず、振動などで光多重用分波器が機能低下する事及び、振動などでコネクタとファイバの結線部分に張力がかかり悪影響が及ぶことを防ぐ。【解決手段】光多重用分波ユニットのボックスの底面に１枚目の弾性体を取り付け。上蓋の底面に２枚目の弾性体を取り付け、ファイバ接続にかかる光多重用分波器の部分に当たる面を、孔をあける。もしくは、凹部を設けるなどした３枚目の弾性体で構成し、光多重用分波器を弾性体に嵌めて、筐体内での光多重用分波器の固定が甘くなる事を防ぐ。【選択図】図４
0003137851.tif 000002
【実用新案登録請求の範囲】
【請求項１】
複数チャンネルを有する光多重用分波ユニット、もしくは光多重用合波ユニットにおいて、本体がボックスと上蓋で構成され、ボックスの底面に当たる面に反発力を有し振動吸収できる弾性体を取り付け、上蓋の底面に当たる面に反発力を有し振動吸収できる弾性体を取り付け、予め光ファイバに接続する光多重用分波器もしくは光多重用合波器に当たる面に、凹部もしくは孔を設けた弾性体を、上下方向から弾性体で挟むように固定した事を特徴としたユニットの耐振動構造。
【考案の詳細な説明】
【技術分野】  本考案は、複数の光ファイバを有している光の分岐や合成に用いる光多重用分波ユニットもしくは、光多重用合波ユニット筐体内に格納する場合の耐振動構造に関するものである。
【背景技術】  従来、光多重用分波ユニットは、図７の様な形状をしている。内側円弧壁１６の外側で、外側円弧壁１５の内側に位置する様に光ファイバを通し、光多重用分波器１８に接続するように配される。光ファイバは外側円弧壁１５、水平壁１７、内側壁１９の作用で簡単に抜けない様に配される。
多くの場合、光多重用分波器１８はねじでボックス１３の底面に固定される。別の方法として、光多重用分波器１８を押圧するとワンタッチでボックス１３に接続する方法が用いられている。そして、使用するとき上蓋１４を閉めて取り付ける。基本的に筐体内にクッションとなる様な部材は用いない。
【特許文献１】特開２００５−１５７１４９
【特許文献２】特開２００６−３７９５
【考案の開示】
【考案が解決しようとする課題】  従来の光多重用分波ユニットには、以下のような欠点があった。
まず、図７に示す方式は、光多重用分波器１８をボックス１３にねじ止めするため、振動が発生する場合、光多重用分波器１８に直接伝わってしまう欠点がある。よって、長時間振動が発生する場所、例えば、中継車両など陸上移動するような所で使用する事が難しく、この様な場所では、筐体内での光ファイバが移動して、光多重用分波器の機能低下が起こったり、ファイバとの結線部分に悪影響を起こす恐れがあった。
この様な事情から、長期に亘って移動したり、振動が発生する事がない、ビルや配電ボックス等にしか使用出来なかった。
【課題を解決する手段】
本考案はこれ等の問題を解決するために考え出されたものである。
予めボックス３の内部で、底面に当たるところに弾性体５を取り付け、上蓋４の底面に当たるところに弾性体６を取り付ける。弾性体は、ボックス内の光多重用分波器８に当たる部分を切り抜く、或いは凹溝を掘るなどして、上蓋を閉め組みあがったとき光多重用分波器８が上下左右方向で動かないようにする。
弾性体５、６、７は材質がゴムや樹脂のものを用い、振動が多く発生する事が考えられる場所では、海綿状に加工したのものを使うと効果的である。
【発明の効果】
本考案は以下の点を利点とする。
光カプラユニット内部の光多重用分波器８を、弾性体で挟み固定しているため、簡単に動かない。よって、長時間振動が発生すると考えられる中継車両に用いる場合でも、光多重用分波器が振動によって破損したり機能低下する恐れがなくなる。このとき本体内のファイバも挟む形になるのでファイバの固定ができコネクタとの結線部に悪影響を及ぼす心配もなくなる。
光多重用分波器８の大きさや形状に合わせて、弾性体７の一部切り抜く、あるいは凹部を設けることで、光多重用分波器８を弾性体７の凹部に嵌めて用いれば、光多重用分波器８固定が甘くなる事が防げる。
弾性体５、６、７をゴムや樹脂を材質とし、海綿体にしたものを用いると更に効果的である。そして、上蓋を閉める際、押圧により弾性体を圧縮するようにして使うと耐振動性に優れる。
【考案を実施するための最良の形態】  本考案の実施の形態を図面に基づいて説明する。
図１は光多重用分波ユニットで４チャンネルのコネクタ接合面を示している。
図２は図１の平面図である。１がコネクタで、３がボックスである。この図面では、５本のファイバ９が１本にまとまった状態を示している。８が光多重用分波器。
図３は図２に示すＡ−Ａ断面図である。
図４は、図２に示すＡ−Ａ断面図で本考案の１実施例で、ボックス３に上蓋４を嵌める前の段階を示している。ボックス３の底面に弾性体５を取り付けている。次に、弾性体６を上蓋４の底面に取り付ける。そして、上蓋４を嵌める際、弾性体７が弾性体５と弾性体７に挟むように固定する。組みあがった形が図５である。
図６は上蓋４の嵌める前の弾性体５のみ装着された状態を示したもので、弾性体６と弾性体７の上から見た形状を示している。弾性体７の孔を設けた状態でこの孔に光多重用分波器が当たるように配されている。
図７は従来品の従来の光多重用分波ユニットでファイバを通す前の状態を示している。
この実施の形態では、弾性体が３枚であるが必要に応じて４枚以上用いてもよい。
【図面の簡単な説明】
【図１】本発明の一実施形態に係るコネクタ接合面を示す図。
【図２】図１に示す上方向から見た平面図
【図３】図２に示すＡ・Ａ断面図
【図４】弾性体及び上蓋の組み立て前の図３と同じ場所を断面した図
【図５】図４の組み立て後を示した図
【図６】図２と同じ角度で、弾性体を組み立て前のボックス４と弾性体６、弾性体７、を示した図。
【図７】従来の光多重用分波ユニットでファイバを通す前の状態を示した図
【符号の説明】
１……コネクタ    ２……ファイバ    ３……ボックス    ４……上蓋
５……弾性体    ６……弾性体    ７……弾性体    ８……光多重用分波器
１３……ボックス    １４……上蓋    １５……外側円弧壁    １６……内側円弧壁
１７……水平壁    １８……光多重用分波器    １９……内側壁
【図１】
0003137851.tif 000003
【図２】
0003137851.tif 000004
【図３】
0003137851.tif 000005
【図４】
0003137851.tif 000006
【図５】
0003137851.tif 000007
【図６】
0003137851.tif 000008
【図７】
0003137851.tif 000009
(57)【要約】      （修正有）【課題】足の踵の肌の表面に貼るため、貼る前は平面的な形状を有する粘着シートであって、横長の楕円状の本体と、この本体の中央部の上下にそれぞれ舌状に突出する舌部と、これら各舌部の基部で左右の少なくとも一方に、前記本体の中心部に向かって切り込まれた切込み線を有することを特徴とするユニークな形の踵用粘着シートを提供することを課題とする。【解決手段】足の踵の肌の表面に貼るため、貼る前は平面的な形状を有する粘着シートであって、横長の楕円状の本体と、この本体の中央部の上下にそれぞれ舌状に突出する舌部と、これら各舌部の基部で左右の少なくとも一方に、前記本体の中心部に向かって切り込まれた切込み線を有することを特徴とするユニークな形の踵用粘着シート。このユニークな形の踵用粘着シートは剥がれにくく足にフィットした粘着シートになる【選択図】図１
0003137853.tif 000002
【実用新案登録請求の範囲】
【請求項１】
足の踵の肌の表面に貼るため、貼る前は平面的な形状を有する粘着シートであって、横長の楕円状の本体と、この本体の中央部の上下にそれぞれ舌状に突出する舌部と、これら各舌部の基部で左右の少なくとも一方に、前記本体の中心部に向かって切り込まれた切込み線を有することを特徴とするユニークな形の踵用粘着シート。
【考案の詳細な説明】
【技術分野】
【０００１】  この発明は、足の踵に貼る粘着シートの形状に関する。
【背景技術】
【０００２】  従来の足のかかとに貼る粘着シートの形状は平面的でかかとにフィットしない。
【考案の開示】
【考案が解決しようとする課題】
【０００３】  足の踵の肌の表面に貼るため、貼る前は平面的な形状を有する粘着シートであって、横長の楕円状の本体と、この本体の中央部の上下にそれぞれ舌状に突出する舌部と、これら各舌部の基部で左右の少なくとも一方に、前記本体の中心部に向かって切り込まれた切込み線を有することを特徴とするユニークな形の踵用粘着シートを提供することを課題とする。
【課題を解決するための手段】
【０００４】  足の踵の肌の表面に貼るため、貼る前は平面的な形状を有する粘着シートであって、横長の楕円状の本体と、この本体の中央部の上下にそれぞれ舌状に突出する舌部と、これら各舌部の基部で左右の少なくとも一方に、前記本体の中心部に向かって切り込まれた切込み線を有することを特徴とするユニークな形の踵用粘着シート。
【考案の効果】
【０００５】  第一発明、または第二考案によれば、このユニークな形の踵用粘着シートは剥がれにくく足にフィットした粘着シートになる。
【考案を実施するための最良の形態】
【０００６】  この考案の一実施形態を、図１に示す。
横長の楕円状の本体と、この本体の中央部の上下にそれぞれ舌状に突出する舌部と、これら各舌部の基部で左右の少なくとも一方に、前記本体の中心部に向かって切り込まれた切込み線を有することで足のかかとにフィットし、且はがれにくい形状になっている。【０００７】「実施形態の効果」
横長の楕円状の本体と、この本体の中央部の上下にそれぞれ舌状に突出する舌部と、これら各舌部の基部で左右の少なくとも一方に、前記本体の中心部に向かって切り込まれた切込み線を有する為、足のかかとを覆い易くフィットし、且つはがれにくい形状になっている。【０００８】「他の実施形態」
図１の実施形態では、横長の楕円状の本体と、この本体の中央部の上下にそれぞれ舌状に突出する舌部（ａ）と、これら各舌部の基部で左右の少なくとも一方に、前記本体の中心部に向かって切り込まれた切込み線（ｂ）を有する為、足のかかとを覆い易くフィットし、且つはがれにくい形状であったが、図２の他の実施形態では、従来のシートは単に四角く切れ込みも無い為、踵の様な丸い形状の物を包む場合シートが重なり合い肌に密着させる事が困難で踵に馴染まず、剥がれやすい形状になっていた。
【図面の簡単な説明】
【０００９】
【図１】この発明の一実施形態を示す斜視図である。
【符号の説明】
【００１０】（ａ）舌様の形
（ｂ）切込み
【図１】
0003137853.tif 000003
(57)【要約】      （修正有）【課題】ノック式ペンのペン差しクリップ端にキャラクタ−顔部分に収納されているベロと、ノック部分をピアノ線で直結し、ノックする事でベロが押し出しと引き込みを可能にして、筆記時に癒し効果を与える。【解決手段】ノック式ペン本体１に、キャラクタ−顔部分３を取り付けたペン差しクリップ２を設け、そのキャラクタ−顔内部に収納したベロ４と、ノック芯にかぶせたキャップ７がピアノ線６と直結する、キャップを押し込む事で直結したベロがキャラクタ−顔部分から突出する。ノック式ペン本体にペン差しクリップ２とキャップ７を装着・着脱する事により、好むキャラクタ−顔に変更できる。ノック式ボールペン・シャープペンシル等に芯出しのため、ノックする毎にベロ出しするキャラクタ−顔により、癒し効果が得られる。【選択図】図１
0003137856.tif 000002
【実用新案登録請求の範囲】
【請求項１】
ノック式芯だしペンに取り付けられている、ペン差しクリップ本体の先端にキャラクタ−の顏部を設け、その顔内部にベロすなわち舌を収納し、芯を出すためにノックをすると、ノック芯とピアノ線で連結されているベロが、同時にキャラクタ−顏部から突出し、再度ノックするとベロがキャラクタ−顔内部へと引き込まれる構造のベロ出しクリップ付きペン。
【考案の詳細な説明】
【技術分野】
【０００１】  本考案は、ペン差しクリップ先端にベロすなわち舌を出すキャラクタ−顔を設けた、ノック式ペンに関するものである。
【背景技術】
【０００２】  ノック式ペン等に内臓されている、バネの反発でノック芯の押し出し・押し上げを可能にしているが、ノック芯の上下運動と本体に設置されている、キャラクターが連動されていなかった。
【考案の開示】
【考案が解決しようとする課題】
【０００３】  ノック式ペンの頭部に突出したノック芯と、ペン差しクリップ先端に設けられた、キャラクタ−顔内部に収納されたベロをピアノ線で連結し、一体化する事により連動が可能になり、前述の欠点を解決しようとするものである。
【課題を解決しようとする手段】
【０００４】  本考案はノック式ペン（ボールペン・シャープペンシル）に内蔵されているバネの反発で、ノック芯が上下する事を利用して、ノック芯に接続されたピアノ線がペン差しクリップ上部の穴を抜け、クリップ底を通過し再びクリップ穴を出てクリップ端に設けたキャラクタ−顔内部に収納されているベロに接続、ノックすることによるノック芯の上下機能と、キャラクタ−顔内部のベロが顔から突出と引き込みが、連動する事により問題を解決している。
【考案の効果】
【０００５】  上述の様に、本考案のベロ出しクリップ付ペンは、筆記用具としての文字や絵等を描く機能は勿論、使用時に芯出しのためノックすると、ペン差しクリップ端に設けられた、キャラクク−顔からベロが同時に突出・引き込みをする、そのユニークでコミカルな表情から癒し効果に役立つ。
【考案を実施するための最良の形態】
【０００６】  ペン差しクリップ端を台座状に設け、キャラクタ−顏部分を取付け、本体上に突き出たノック芯先端に、ピアノ線が接続されたキャップをかぶせ、ペン差しクリップ上部の穴からピアノ線を通し裏側を通過、再び台座手前に設けられた穴より表に出て、台座に取り付けられたキャラクタ−顔内部に収納されたベロに接続ノック式ペン本体からキャラクタ−顔付きクリップと、ノック芯キャップは着脱出来る様にする。
【実施例】
【０００７】  以下添付図面に従って一実施例を説明する。１はノック式ペン（ボールペン・シャープペンシル）本体、２は本体に差し込まれたペン差しクリップ、３はクリップ先端台座に取り付けられた顔部分、４は顔内部に収納されたベロ、ノック芯５にピアノ線６を接続したキャップ７をかぶせる、クリップ上部の穴８からピアノ線６がクリップ裏側を通過、再びクリップの穴９から表側に出て、台座に取り付けられたキャラクタ−顔内部に収納されたベロ４に直結、ノック芯５の上にキャップ７をかぶせ、キャップを押し込む事によってキャラクタ−顔内部からベロ４の押し出しと引き込みが自在になる。【０００８】  キャラクタ−顔付きペン差しクリップ２の取り替えは、本体１から抜くと同時にノック芯上部のキャップ７を外すと、他のノックペンに差し換えが可能で、本体１の色替えも自在となる。【０００９】  本考案の一実施例は上述のごとき構成からなるものであるから、筆記用具として文字や絵を描く道具として用いる事は勿論であるが、ノック芯５にかぶせたキャップ７をノックする毎にキャラクタ−顔からベロ４が突出し、ユニークでコミカルな表情から心理面で癒し効果が得られる。簡単にペン差しクリップを取り付け取り外しが自在で、色の組み合わせも可能にしている。
【図面の簡単な説明】
【００１０】
【図１】本考案のベロ出しクリップ付きペンの実施を示す正面図である。
【図２】本クリップ付きペンの一部側面部の欠断面である。
【符号の説明】
【００１１】１  ノック式ペン本体
２  ペン差しクリップ
３  キャラクタ−顔部分
４  ベロ
５  ノック芯
６  ピアノ線
７  キャップ
８  クリップ穴
９  クリップ穴
【図１】
0003137856.tif 000003
【図２】
0003137856.tif 000004
(57)【要約】【課題】掛け布団カバーの挿入口をファスナーの代わりのもので閉じるようにする。また、顔面に接する掛け布団が汚れにくくするため、掛け布団カバーに衿を取り付ける。【解決手段】被包挿入する掛け布団より縦長の袋体で、該袋体の挿入口（Ｄ）延長部の両側を縫合しないスリット状とし、衿（２）（３）になる該延長部の先端四隅に紐（４）（５）（６）（７）を設け、両側スリット状部の下方に前記紐通し用の穴（Ａ）（Ｂ）を形成する。挿入口（Ｄ）に掛け布団を入れて、衿（２）で被い、紐（４）を穴（Ａ）へ、紐（５）を穴（Ｂ）へ通し、次に衿（２）の上を衿（３）で被い、紐（４）と（６）、紐（５）と（７）を結ぶことで挿入口（Ｄ）を閉じる。また、顔面に接する掛け布団を２枚の衿で二重に被うことで汚れにくくなりました。【選択図】図１
0003137310.tif 000002
【実用新案登録請求の範囲】
【請求項１】
被包挿入する掛け布団より縦長の袋体で、該袋体の挿入口延長部の両側を縫合しないスリット状とし、２枚の衿になる該延長部の先端四隅に紐を設け、両側スリット状部の下方に前記紐通し用の穴を２ヶ所形成したことを特徴とした二重衿付掛け布団カバー。
【請求項２】
就寝中、顔面に接する掛け布団が汚れないように、２枚の衿で二重に被い、４本の紐と２ヶ所の紐通し用の穴で、挿入口を閉じることを特徴とした請求項１に記載の二重衿付掛け布団カバー。
【考案の詳細な説明】
【技術分野】
【０００１】本考案は、掛け布団を被うための衿付掛け布団カバーに関するものである。
【背景技術】
【０００２】従来の掛け布団カバーは、掛け布団の挿入口にファスナーを取付けたものが一般的に使用されています。また、掛け布団を汚れにくくする為に、色や模様をデザインした衿を掛け布団カバーに取り付けたものが幾種類も考えだされました。
【考案の開示】
【考案が解決しようとする課題】
【０００３】従来の掛け布団カバーは、ファスナーの開閉時に布団を挟み傷める問題があるので、掛け布団の挿入口をファスナーの代わりのもので閉じるようにする。また、就寝時、顔面に接する掛け布団は汚れやすいので、衿を掛け布団カバーに取り付けて汚れにくくする。
【課題を解決するための手段】
【０００４】上記の課題を解決するために、被包挿入する掛け布団より縦長の袋体で、該袋体の挿入口延長部の両側を縫合しないスリット状とし、２枚の衿になる該延長部の先端四隅に紐を設け、両側スリット状部の下方に前記紐通し用の穴を２ヶ所形成する。【０００５】掛け布団に顔面が接して汚れてしまう部分を２枚の衿で二重に被い、４本の紐と２ヶ所の紐通し用の穴で衿を固定して、挿入口を閉じる。
【考案の効果】
【０００６】掛け布団の挿入口にファスナーを使用ないので布団が傷まなくなり、更にファスナーの取り付けの手間がかからないので縫製が簡単にできる。【０００７】就寝時、掛け布団に顔面が接して汚れてしまう部分を２枚の衿で二重に被うことで汚れにくくなった。【０００８】挿入口の上側と下側にある２枚の衿で掛け布団を被う際、衿の被う順番を交互に変えることで、衿が傷みにくくなり掛け布団カバー本体の使用寿命も延びる。
【考案を実施するための最良の形態】
【０００９】本考案の実施例を図１を元に説明する。被包挿入する掛け布団より縦長の袋体で、該袋体の挿入口（Ｄ）延長部の両側を縫合しないスリット状とし、挿入口（Ｄ）の上側に衿（２）下側に衿（３）ができる。衿（２）（３）の先端四隅に紐（４）（５）（６）（７）を設け、両側スリット状部の下方に前記紐通し用の穴（Ａ）（Ｂ）を形成する。【００１０】挿入口（Ｄ）に掛け布団を入れて、衿（２）で被い、紐（４）を穴（Ａ）へ、紐（５）を穴（Ｂ）へ通したところが図２になる。次に、衿（２）の上を衿（３）で被い、紐（４）と（６）、紐（５）と（７）を結び、衿を二重に固定したのが図３になる。【００１１】図１の上側表面と下側裏面の布と衿を別色又は別柄模様にすることで、上側表面と下側裏面を返して使用できる。裏返しの際、挿入口（Ｄ）の下側に衿（２）、上側に衿（３）となるので、先に掛け布団を衿（３）で被い、次に衿（２）で被うことになる。衿の被い方を交互に変えることで衿が傷みにくくなり、掛け布団カバー本体の使用寿命も延びる。【００１２】図１の紐（４）（５）（６）（７）と掛け布団と掛け布団カバーを固定するＶ字状紐（８）の代わりにスナップボタンやマジックテープ等を代用することもできます。
【実施例】
【００１３】長さ２１０ｃｍ、幅１５０ｃｍの掛け布団用の衿付掛け布団カバーの実施例。
掛け布団の長さに衿の長さ４０ｃｍを加えた、長さ２５０ｃｍ、幅１５０ｃｍの生地２枚を図１のように（Ｃ）を袋縫いする。挿入口（Ｄ）延長部の両側４０ｃｍを縫合しないスリット状とし、挿入口（Ｄ）の上下に長さ４０ｃｍ、幅１５０ｃｍの衿（２）と衿（３）ができる。２枚の衿の先端四隅に長さ１５ｃｍの紐（４）（５）（６）（７）を設け、この紐の通し用の穴（Ａ）（Ｂ）を、両側スリット状部から４０ｃｍ下方に幅３ｃｍの穴で２ヶ所形成する。また、掛け布団と掛け布団カバーを固定するためにＶ字状紐（８）を９箇所、図１のように縫い付けます。
【図面の簡単な説明】
【００１４】
【図１】二重衿付掛け布団カバーを示した斜視図である。
【図２】衿（２）で掛け布団を被い、紐（４）を穴（Ａ）へ、紐（５）を穴（Ｂ）へ通した状態の斜視図である。
【図３】衿（２）を衿（３）で被い、紐（４）と（６）、紐（５）と（７）を結び付けて、二重衿付掛け布団カバーを装着完成した斜視図である。
【符号の説明】
【００１５】Ａ、Ｂ              紐通し用の穴
Ｃ                  ミシンによる縫製部分
Ｄ                  挿入口
１                  二重衿付掛け布団カバー本体
２                  上側衿部分
３                  下側衿部分
４、５、６、７      紐
８                  Ｖ字状紐（９ヶ所）
【図１】
0003137310.tif 000003
【図２】
0003137310.tif 000004
【図３】
0003137310.tif 000005
(57)【要約】【課題】  棒体の両端に同一外径の円柱体等を形成し一体とした足の健康器具は、両足を前後に動かして使用できるが、両足を交互に動かして使用できない。日常生活での歩行は、足を交互に動かしている、両足を交互に動かして使用できる足の健康器が求められていた。【解決手段】  貫通穴４を穴あけした円柱体３を、段付棒体１の両端に形成した軸２にはめ込む。段付棒体１に影響されずに、円柱体３が転がり動くことができるように、軸２の長さは円柱体３より少し長めに、軸２の外径は貫通穴４との間に、遊びをもたせるために、貫通穴４の穴径より少し小さめの大きさに形成する。円柱体３に、両足裏を乗せ、足を動かしている使用中に、円柱体３が軸２から抜けて外れないように、貫通穴４の内径より大きめ目の外径の大きさとした、止め具５を軸２の外側端に接着してなる、両足を交互に動かして使用できる足の健康器。【選択図】図１
0003137306.tif 000002
【実用新案登録請求の範囲】
【請求項１】
段付棒体の両端に軸を形成し、円柱体を両端の軸にはめ込んでなる足の健康器具。
【請求項２】
丸棒の両端に円柱体をはめ込んでなる足の健康器具。
【考案の詳細な説明】
【技術分野】
【０００１】本考案は、足裏を乗せ、足を前後に動かして、足裏のマッサージおよび足裏ツボの刺激を行うために、棒体の両端に同一外径の円柱体を形成した足の健康器具に関するもので、棒体の両端に軸を設け、軸に同一外径の円柱体をはめ込むことにより、足を前後に動かして使用でき、また足を交互に動かしても使用できるようにした足の健康器具である。
【背景技術】
【０００２】従来、足の健康器具として，足裏を乗せ、足を前後に動かして，足裏のマッサージおよび足裏ツボの刺激を行うために，棒体の両端に同一外径の円柱体を形成したもの、麺打ち棒等が使用されている。
【考案の開示】
【考案が解決しようとする課題】
【０００３】しかし、棒体の両端に同一外径の円柱体等を形成した足の健康器具は一体のために、両足を前後に動かして使用できるが、両足を交互に動かして使用できない足の健康器具であった。日常生活での歩行は、足を交互に動かしているため、両足を交互に動かして使用できる足の健康器が求められていた。
【課題を解決するための手段】
【０００４】そこで、貫通穴４を穴あけした、足巾ほどの長さの円柱体３を、段付棒体１の両端に形成した軸２にはめ込む。段付棒体１に影響されずに、円柱体３が転がり動くことができるように、軸２の長さは円柱体３より少し長めに、軸２の外径は貫通穴４との間に、遊びをもたせるために、貫通穴４の穴径より少し小さめの大きさに形成する。円柱体３に、両足裏を乗せ、足を動かしている使用中に、円柱体３が軸２から抜けて外れないように、貫通穴４の内径より大きめ目の外径の大きさとした、任意巾の止め具５を軸２の外側端に接着することにより、両足を交互に動かして使用することできる。
【考案の効果】
【０００５】よって、両足を同時に両端の円柱体３にそれぞれ乗せる。片方側の足を前に動かすと、片方側の円柱体３は前方向に回すことができる。もう片方側の足を後ろに動かすと、もう片方側の円柱体３は後方向に回すことができるので、足を両端の円柱体３に乗せて足を交互に動かして使用することが出来る。本考案の足の健康器具は、足裏を両端の円柱体３または段付棒体１に乗せ、足を前後に動かして使用することができる。また足裏を両端の円柱体３に乗せ足を交互に動かしても使用することができる。
【考案を実施するための最良の形態】
【０００６】図１は、段付棒体１の両端に軸２を形成する。円柱体３の貫通穴４を両端の軸２にはめ込み、軸２の外側端部に止め具５を接着してなる足の健康器具の断面図である。【０００７】図２は、円柱体８は丸棒６の大きさより少し大きめの側壁付穴９、抜け止めピン１１の差し込みができるように貫通穴１０を設ける。丸棒６の両端に抜け止めピン１１より大き目の巾の円周ミゾ７を設ける。円柱体８の側壁付穴９を丸棒６の両端にはめ込む。円柱体８に、両足裏を乗せ、足を動かしている使用中に、丸棒６の両端から円柱体８が抜けて、外れないように、丸棒６の円周ミゾ７の底に接触しない近くに至る長さの抜け止めピン１１を差し込んでなる足の健康器具の断面図である。【０００８】図３は、従来の棒体部１２の両端に同一外径の円柱部１３と一体に形成された足の健康器具の正面図である。【０００９】段付棒体または丸棒の両端に同一外径の円柱体からなる足の健康器具の材料は木材でもよい。また両端の同一外径の円柱は球体としてもよい。
【図面の簡単な説明】
【００１０】
【図１】段付棒体１の両端の軸２に円柱体３をはめ込んだ足の健康器具の断面図である。
【図２】丸棒６の両端に円柱体８をはめ込んだ足の健康器具の断面図である。
【図３】従来の棒体部１２の両端に同一外径の円柱部１３と一体に形成された足の健康器具の正面図である。
【符号の説明】
【００１１】１      段付棒体
２      軸
３      円柱体
４      貫通穴
５      止め具
６      丸棒
７      円周ミゾ
８      円柱体
９      側壁付穴
１０    貫通穴
１１    止めピン
１２    棒体部
１３    円柱部
【図１】
0003137306.tif 000003
【図２】
0003137306.tif 000004
【図３】
0003137306.tif 000005
(57)【要約】      （修正有）【課題】半透明の合成樹脂生地から構成されたカ−ドケ−スと一体化した持ち手を付与することで、半透明のケ−スにより周囲から情報記憶カ−ド上に記載の情報を守り、且つ持ち手を付与することでその扱いを安定させ容易にする。【解決手段】ポリオレフィン系熱可塑性樹脂等半透明の適宣素材シ−ト１とシ−ト２で構成したカ−ドケ−スであって、シ−ト１とシ−ト２の３つの周縁部を高周波溶着し、非溶着部分を開口部とする。使用時は情報記憶カ−ド５を開口部から差し込み、持ち手に互いに接合する凹凸部３ａ、３ｂ、４ａを固定して使用する。半透明であるため表面に記載された情報は漏れにくくし、情報記憶カ−ド使用時は持ち手を支点となし素材の柔軟性を利して接触面に近づけた。抗菌効果も付与するためシ−トには抗菌剤を含有させるのが好ましい。【選択図】図１
0003137302.tif 000002
【実用新案登録請求の範囲】
【請求項１】
カ−ドケ−スと一体化した持ち手を付与するともに、半透明の柔軟性合成樹脂生地を使用した持ち手付き情報記憶カ−ドケ−ス。
【考案の詳細な説明】
【技術分野】
【０００１】  本考案は、半透明の合成樹脂生地から構成されたカ−ドケ−スに持ち手を付与した、情報記憶カ−ドケ−スに関するものである。
【背景技術】
【０００２】  駅、店頭において情報記憶カ−ドにより料金の決済を行う場合、情報記憶カ−ドを財布、定期入れ等から出すかそのまま読み取り装置にかざしていた。
【考案の開示】
【考案が解決しようとする課題】
【０００３】  読み取り装置に情報記憶カ−ドをそのままかざすことは、カ−ドに記載された情報の漏洩にもつながり、またその行為に不慣れな者には紛失にも繋がり負担である。
【課題を解決するための手段】
【０００４】  本考案は、半透明の合成樹脂生地から構成されたカ−ドケ−スと一体化した持ち手を付与することで、半透明のケ−スにより周囲から情報記憶カ−ド上に記載の情報を守り、且つ持ち手を付与することでその扱いを安定させ容易にするものである。
【考案の効果】
【０００５】  持ち手付き情報記憶カ−ドケ−スは半透明の合成樹脂生地あるため、内包する情報は読み取り装置に伝達されるが表面に記載された情報は漏れにくくした。また持ち手を付けたことで、これまで駅等の読み取り装置に手が届かない子供でも情報記憶カ−ドを容易に扱うことができるようにした。
【考案の実施するための最良の形態】
【０００６】  ポリオレフィン系熱可塑性樹脂等適宣素材シ−ト二枚で構成したカ−ドケ−スであって、シ−トの３つの周縁部を高周波溶着し、非溶着部分を開口部とする。情報記憶カ−ドを前記開口部から差し込んで使用する。持ち手に互いに接合する凹凸部を設け固定する。カ−ド使用時は持ち手を支点となし素材の柔軟性を利して接触面に近づける、または付ける。シ−トには抗菌剤を含有させるのが好ましい。
【実施例】
【０００７】  以下、添付図面に従って一実施例を説明する。ポリオレフィン系熱可塑性樹脂シ−ト１とシ−ト２で構成したカ−ドケ−スＡであって、シ−ト１とシ−ト２の３つの周縁部を高周波溶着し、非溶着部分を開口部とする。使用時は情報記憶カ−ド５を前記開口部から差し込み、持ち手に互いに接合する凹凸部３ａ、３ｂ、４ａ、４ｂを固定して使用する。【０００８】  情報記憶カ−ド使用時は持ち手を支点となし素材の柔軟性を利して接触面に近づける、または付ける。【０００９】  抗菌効果も付与するためシ−トには抗菌剤を含有させるのが好ましい。
【図面の簡単な説明】
【００１０】
【図１】本考案の貴重品収納室付ハンガ−の一実施例を示す正面図である。
【図２】本ハンガ−の一部切欠断面図である。
【符号の説明】
【００１１】  １  カ−ドケ−ス本体
２  カ−ドケ−ス本体
３ａ、３ｂ  接合する凹凸部
４ａ、４ｂ  接合する凹凸部
５  情報記憶カ−ド
【図１】
0003137302.tif 000003
【図２】
0003137302.tif 000004